(57)【特許請求の範囲】
【請求項１】
使用者の身体部位に着用される装置から生理学的データを測定するためのウェアラブルシステムであって、
ディスプレイとベースコンピューティングユニットとを含むベースモジュールと、
前記ベースモジュールに対して空間的に配置され、１つ以上の生理学的特性を測定するために前記身体部位の一部分上を覆って配置されるセンサーモジュールと、を有し、
前記ベースモジュールは、前記身体部位の人体計測サイズに関係なく、生理学的データの正確な測定のための前記身体部位と充分な接触をするために、前記センサーモジュールが前記身体部位上で位置を維持するように、前記センサーモジュールに対して前記使用者によって調整可能に配置され、
前記センサーモジュールは、相対的な重力を測定する重力センサーをさらに含み、
前記センサーモジュールは、前記測定された相対的な重力に基づいて前記測定を較正（ｃａｌｉｂｒａｔｅ）するよう構成され、
前記測定された重力に基づいて前記生理学的特性を測定するのに使用される継続時間を調整するタイマーをさらに有し、
前記センサーモジュールは、前記調整された時間に基づいて前記測定を較正するよう構成されることを特徴とするウェアラブルシステム。
【請求項２】
前記センサーモジュールは、前記使用者の手首の底面に配置されることを特徴とする請求項１に記載のウェアラブルシステム。
【請求項３】
前記センサーモジュールは、さらに、前記使用者によって連続的な使用を可能にするために前記使用者の皮膚との圧力接触を維持することを特徴とする請求項１に記載のウェアラブルシステム。
【請求項４】
前記センサーモジュールは、脱着可能であり、
他の種類のセンサーモジュールと交替可能であることを特徴とする請求項１に記載のウェアラブルシステム。
【請求項５】
センサーユニットは、前記センサーユニットが他のセンサーユニットで個別的に交換することができるように、前記センサーモジュールのセンサープレートに脱着可能に連結されることを特徴とする請求項４に記載のウェアラブルシステム。
【請求項６】
前記センサーモジュールは、電気的センサーと光学的センサーの組み合わせを含むことを特徴とする請求項１に記載のウェアラブルシステム。
【請求項７】
前記センサーモジュールは、生体センサー、物の接近を検出する接近検出器、及び環境センサーの内の１つ以上を含み、
光センサーアレイ、温度計、ガルバニック皮膚反応（ＧＳＲ）センサーアレイ、生体抵抗（ＢｉｏＺ）センサーアレイ、及び心電図（ＥＣＧ）センサーのいくつかの組み合わせを含むセンサーユニットをさらに含むことを特徴とする請求項１に記載のウェアラブルシステム。
【請求項８】
前記光センサーアレイは、血管をまたがるようにバンド上に配置され、
前記生体抵抗センサーアレイは、血管をまたがるようにバンド上に配置されることを特徴とする請求項７に記載のウェアラブルシステム。
【請求項９】
少なくとも２つの対称的に調整可能なサブ−バンドは、前記ベースモジュールと前記センサーモジュールとを連結することを特徴とする請求項１に記載のウェアラブルシステム。
【請求項１０】
少なくとも２つの対称的に調整可能なサブ−バンドは、前記ベースモジュールと前記センサーモジュールとを連結し、前記サブ−バンドは、一体型バンドであることを特徴とする請求項１に記載のウェアラブルシステム。
【請求項１１】
対称的に調整可能なバンドは、前記ベースモジュールと前記センサーモジュールとを連結し、前記センサーモジュールは、前記バンドと共に成形される（ｃｏ−ｍｏｌｄｅｄ）ことを特徴とする請求項１に記載のウェアラブルシステム、
【請求項１２】
バンドは、フレックス連結（ｆｌｅｘ  ｃｏｎｎｅｃｔｉｏｎ）によって連結される少なくとも４つのリンクを含み、前記バンドは、前記ベースモジュール及び前記センサーモジュールを連結することを特徴とする請求項１に記載のウェアラブルシステム。
【請求項１３】
前記センサーモジュールは、前記使用者の額上に配置され、前記ディスプレイは、前記使用者の頭部の前方に向かって表示されるよう配置されることを特徴とする請求項１に記載のウェアラブルシステム。
【請求項１４】
前記測定された重力に基づいて発光を調節する光較正器をさらに有し、
前記センサーモジュールは、前記調節された発光に基づいて前記測定を較正するよう構成されることを特徴とする請求項１に記載のウェアラブルシステム。
【請求項１５】
使用者の身体部位に着用され、ディスプレイとベースコンピューティングユニットとを含むベースモジュールと、微細調整可能なセンサーモジュールと、を有するウェアラブル装置から生理学的データを測定するための方法であって、
前記微細調整可能なセンサーモジュールを、前記ベースモジュールに対して空間的に調整可能に配置し、１つ以上の生理学的特性を測定するために第１位置で前記身体部位の一部分上を覆って配置する段階と、
前記身体部位の人体計測サイズと関わらず、生理学的データの正確な測定のための第２位置で前記身体部位と充分な接触をするために、前記第１位置と相対的な（ｒｅｌａｔｉｖｅ）前記身体部位の前記第２位置に前記微細調整可能なセンサーモジュールを、前記第１位置からに前記第２位置に調整可能であるように再配置する段階と、を有し、
相対な重力を測定する段階と、
前記測定された相対な重力に基づいて前記生理学的データを較正する段階と、
前記測定された重力に基づいて前記生理学的データを測定するのに使用される継続時間を調整する段階と、
前記調整された時間に基づいて前記生理学的データを較正する段階と、
前記測定された重力に基づいて発光を調節する段階と、
前記調節された発光に基づいて前記生理学的データを較正する段階と、をさらに有することを特徴とするウェアラブル装置から生理学的データを測定するための方法。
【請求項１６】
前記微細調整可能なセンサーモジュールは、前記身体部位の人体計測サイズと関わらず、生理学的データの正確な測定のための前記身体部位との充分な接触を提供するために交代で使用される（ｒｏｔａｔｅｄ）複数のセンサーユニットを含み、
生理学的データの正確な測定のための前記身体部位との接触を改善するために前記複数のセンサーユニットを互いに相対的（ｒｅｌａｔｉｖｅ）に再配置させる段階をさらに有することを特徴とする請求項１５に記載のウェアラブル装置から生理学的データを測定するための方法。
【発明の詳細な説明】
【技術分野】
【０００１】
本発明は個人の生理学的な情報をモニターリングし、通信するためのウェアラブル（ｗｅａｒａｂｌｅ）装置に関し、その中でも特に、身体の一部に対して調整可能なウェアラブルモジュール型センサープラットフォームに関する。
【背景技術】
【０００２】
数年に掛けて腕時計バンド、ジュエリー（ｊｅｗｅｌｒｙ）バンド、磁気健康バンド、ブレスレット、及びネックレス等の様々タイプが取引されてきた。
センサーが装着されたウェアラブル装置は、活動データ（継続時間、ステップカウント、消費されたカロリー）、睡眠統計、及び／又は生理学的なデータ（例えば、心拍数、汗、及び皮膚温度）のような使用者データをいくつかの方式にて追跡することができる。
【０００３】
しかし、このような既存の装置は、多くの場合、非常に繊細及び／又はあまりにも薄っぺらで、また柔軟性に欠けるものであり、そして肉体的運動、フィットネス活動、及びスポーツに適当でなく、充分な信頼性あるセンサー測定が行われない。
例えば、ヘルスケアモニターリング（ｈｅａｌｔｈ  ｃａｒｅ  ｍｏｎｉｔｏｒｉｎｇ）は基本的に長時間を要求する。
【０００４】
その上に、既存のウェアラブル装置は多くの不都合点を有する。
それは一般的に体積が大きくて、不便であり、そして外来患者又は個人単位に長時間使用するのに適当ではない。
このような装置は、また幼児又は非協力的な患者（予測できないように既存のセンサーを除去することができる精神分裂症患者のような）によって長時間着用されるには適切ではない。このようなウェアラブル装置は移動性又は長時間のモニターリングを要する動物にも適合ではない。
このような不都合を除いても、今までのウェアラブル装置は、敏感である生理学的及び環境的測定、プロセシング（ｐｒｏｃｅｓｓｉｎｇ）及び通信を遂行するライフスタイル（ｌｉｆｅｓｔｙｌｅ）製品として適合するものではなかった。
【０００５】
別の欠点として、既存のセンサーが面倒な電極を有することである。
結果として、このような装置は、一般に、比較的大きなプラスチックシェルケースに包まれ、快適な又はより数時間着用するのに適しておらず、そのようなものとして、生理学的測定のためのより適切な位置の特定の利点を欠いている。
【０００６】
腕時計の場合、センサーは、一般的にディスプレイと共に手首の上に位置する。
このような装置で、他のもの間で、ゴム電極、標準金属医療電極、及び関連した接着パッドが不便であるので、特に老齢の使用者及び敏感な皮膚を有する使用者が使用する場合、連続的であり、かつ長時間の着用は望ましくない。
接触される皮膚の一部が使用する間に数日又は数週の間において、適切に空気に露出されなければ、このような装置の継続的な着用は、また皮膚刺激を発生する傾向がある。
【０００７】
ウェアラブル装置で特定のセンサーの配置は他の理由で面倒なことである。
例えば、一部の測定（例えば、皮膚伝導度）は共通的に指先に固定されるか、或いはウェアラブル装置から分離される接着パッチを使用する追加的な電極を要求する。
このような状況で、他の日常的な仕事を遂行するには使用者の能力に深刻な制限が生じる。
このようなセンサー配置の短所は、すべての使用者に対して身体の一部（例えば、手首、首、足首、胸、腰又は頭）が同一の大きさ及び形状ではないという事実によって悪化される。
【０００８】
今までのウェアラブル装置は、非対称的に調整する（例えば、ベルトバックル（ｂｅｌｔ  ｂｕｃｋｌｅ）タイプバンド）。
今までの他のバンドは、１つでなされたバンドであり、さらに小さい人に比べてさらに大きい人に対して又はそれ反対の場合に対して、身体の一部の大きさが増加して皮膚に加えられた圧力（あまりにも多いか、或いはあまりにも少ない）を解決できない。
【０００９】
即ち、ウェアラブル装置の調節にこのようなアプローチは、またセンサーが含まれた場合、圧迫感や緩みによって装置を着用するのが不便であった。
追加的に、身体一部で装置の移動は不便であるか、或いはセンサー及びディスプレイの位置を変更することは信頼できない測定及び測定を表示する傾向がある。
不快感は、皮膚の痛み又は刺激を減少させるために適切な位置の外へ装置を移動させる可能性がある。
要するに、装置の移動は不正確な測定に至ることになり、長時間使用に対して装置を不利になる。
【００１０】
他の不利な点は、無線接続する既存のシステムは、例えば一般的に短いバッテリー寿命を示す。
それは数時間以上の継続的又は長時間の無線伝送に適切ではない。
しかし、例えば、慢性疾患（例えば、睡眠障害、糖尿病、その他の等）が存在する場合には数日、数週、及び数ヶ月に亘って継続的な生理データ収集が必要とする。
既存の無線装置は、一般的に単独使用者に制限される他の不利な点を有し、強力なデータ収集及び装置の遠隔分析を支援できない。
また、既存の装置は、一般的に基本的なボードデータ分析（ｒｕｄｉｍｅｎｔａｒｙ  ｂｏａｒｄ  ｄａｔａ  ａｎａｌｙｓｉｓ）よりはるかに多いことを提供できない。
【００１１】
つまり、今までの装置は、小さく、コンパクト（ｃｏｍｐａｃｔ）であり、軽く、また正確であり、継続的に使用可能であり、非侵襲性（ｎｏｎ−ｉｎｖａｓｉｖｅ）、及び／又は、また多様な使用者の生理及び環境条件下で楽な位置を持続的に維持することができるフォームファクタ（ｆｏｒｍ  ｆａｃｔｏｒ）で継続的に又は長時間使用するための装置の着用を可能であるようにする大きさ及び便利性のイッシュー（ｉｓｓｕｅｓ：論点）（例えば、柔軟性、空気流れ、ソフトな接触領域、皮膚刺激）を解決できなかった。
【００１２】
そのような装置は、また単一モジュール型センサープラットフォームでセンサー機能（例えば、心電図ＥＣＧ、血糖（ｇｌｕｃｏｓｅ）、血圧、水分供給（ｈｙｄｒａｔｉｏｎ）、その他の等）を勢揃いさせることができなかった。
このようなセンサー機能は、このような装置が使用され得る最適な環境より悪い環境に対する又は厳しい動的使用に対する信頼できる医療水準の測定値を提供できなかった。
このような装置は、また身体に対する日々データ収集が使用者又は適当な処理能力を要する医療専門家に提供することができる洞察力を活用できなかった。
適当な処理能力は、常に着用する装置で適切なバッテリー寿命を要求するが、ウェアラブル装置はそれを達成できなかった。
さらに、このような装置は、健康関連データの通信と関連して個人情報保護及び保安イッシュー（問題点）に直面していない。
【発明の概要】
【発明が解決しようとする課題】
【００１３】
本発明は上記従来のウェアラブル装置における問題点に鑑みてなされたものであって、本発明の目的は、身体部位の人体測定学的大きさに関係なく、使用者の生理学的データを測定するために調整可能なセンサーモジュールを含むウェアラブルシステム及びその測定方法を提供することにある。
【課題を解決するための手段】
【００１４】
上記のような目的を達成するために、本発明の一実施態様によれば、使用者の身体部位に着用される装置から生理学的データを測定するためのウェアラブルシステム及び方法は、ベースモジュール及びセンサーモジュールを含むように提供される。
ベースモジュールは、ディスプレイ及びベースコンピューティングユニットを含む。
センサーモジュールは、ベースモジュールに対して空間的に配置され、１つ以上の生理学的特性を測定するために身体部位の一部分上を覆って空間的に配置される。
ベースモジュールは、身体部位の人体計測サイズに関係なく、生理学的データの正確な測定のための身体部位と充分な接触をするために身体部位上を覆ってセンサーモジュールの位置を維持するように使用者によってセンサーモジュールに対して調整可能に配置されることを特徴とする。
【発明の効果】
【００１５】
本発明に係るモジュール型センサープラットフォームを有する調整可能なウェアラブルシステムによれば、身体部位の人体計測サイズに関係なく、使用者の生理学的データを測定するための調整可能なセンサーモジュールを含むウェアラブルシステム及びその測定方法を提供することができる。
【図面の簡単な説明】
【００１６】
【図１】本発明の一実施形態によるモジュール型センサープラットフォームを示す斜視図である。
【図２】図１のモジュール型センサープラットフォームの他の実施形態を示す斜視図である。
【図３】本発明の他の実施形態によるモジュール型センサープラットフォームの分解側面図である。
【図４】本発明の一実施形態によるベースコンピューティングユニットとバッテリーを含む構成要素と連結された帯域幅センサーモジュールを含むモジュール型センサープラットフォームの構成を示すブロック図である。
【図５】本発明の実施形態による手首に使用されたセンサーが装着されたバンドと接触された手首の断面図である。
【図６】本発明の他の実施形態による手首に対する使用に関連する自己整列（ｓｅｌｆ−ａｌｉｇｎｉｎｇ）センサーアレイシステムを有するモジュール型センサープラットフォームを示す図である。
【図７】本発明の更に他の実施形態による自己整列センサーアレイシステムを有する光電子ユニット及び例示的なセンサーを含むモジュール型センサープラットフォームの構成要素を示すブロック図である。
【図８】本発明の一実施形態によるバンド上に位置したセンサーモジュールを含む調整可能なウェアラブルシステムの側面図である。
【図９】本発明の他の実施形態によるバンドに結合されたセンサーモジュールを含む調整可能なウェアラブルシステムの側面図である。
【図１０】本発明のさらに他の実施形態によるバンドがセンサーモジュールにオーバーストラップ（ｏｖｅｒｓｔｒａｐ）する場合、センサーモジュールを含む調整可能なウェアラブルシステムの側面図である。
【図１１】本発明のさらに他の実施形態によるフレックス連結（ｆｌｅｘ  ｃｏｎｎｅｃｔｉｏｎ）によって連結された分割バンドを含むモジュール型センサーモジュールを含む調整可能なウェアラブルシステムの側面図である。
【図１２】本発明のさらに他の実施形態による自体接着ディスプレイユニットから対称的に配置される自体接着センサーモジュールを含む調整可能なウェアラブルの側面図である。
【図１３】本発明の一実施形態による第１位置に微細調整可能なセンサー構成を含むセンサーモジュールを含む調整可能なウェアラブルシステムの斜視図である。
【図１４】本発明の他の実施形態による図１３に示したものに対して第２位置に微細調整可能なセンサー構成を含むセンサーモジュールを含む調整可能なウェアラブルシステムの斜視図である。
【図１５】本発明の一実施形態による第１位置に循環センサーユニット構成を含むセンサーモジュールを含む調整可能なウェアラブルシステムの斜視図である。
【図１６】本発明の他の実施形態による図１５に示したものに対して第２位置に循環センサーユニット構成を含むセンサーモジュールを含む調整可能なウェアラブルシステムの斜視図である。
【図１７】本発明の一実施形態による第１位置にスライディング（ｓｌｉｄｉｎｇ）センサーユニット構成を含むセンサーモジュールを含む調整可能なウェアラブルシステムの斜視図である。
【図１８】本発明の他の実施形態による図１７に示したものに対して第２位置にスライディングセンサーユニット構成を含むセンサーモジュールを含む調整可能なウェアラブルシステムの斜視図である。
【発明を実施するための形態】
【００１７】
次に、本発明に係るモジュール型センサープラットフォームを有する調整可能なウェアラブルシステムを実施するための形態の具体例を図面を参照しながら説明する。
【００１８】
添付した図面に図示した例及び本発明の実施形態を詳細に説明するものであり、類似の参照番号は類似の構成要素を指す。
以下で、本発明の技術的な思想を説明するために図面を参照して実施形態が説明する。
本発明のいくつかの実施形態を詳細に説明する前に、本発明が以下の説明又は図面で図示したことに開示した構成要素の配列及び構造の細部事項に対するそのアプリケーションに限定されないことが理解されるべきである。
本発明の長所及び特徴、及びこれを達成するための方法は以下の実施形態の詳細な説明及び添付した図面を参照することで、容易に理解することができる。
しかし、本発明の技術的な思想は多様な他の形態に具現することができ、本文に開示した実施形態に限定されないで構成することもできる。
むしろ、本文が完璧になることで、技術分野の通常の技術者に本発明の技術的事実が伝達されるようにこのような実施形態は提供することができる。
本発明の技術的な思想は添付された特許請求範囲によって定義される。図面で、層（膜）及び領域の厚さは視覚的な明確性のために誇張されている。
【００１９】
また、本明細書で使用される語法及び用語は説明の目的のためのものであり、これに限定するものではない。
単数用語及び発明を説明する脈絡での類似の指示対象（特に、以下の特許請求範囲）の使用は本文で異なって称されるか、又は明確に反しない限り、単数及び複数を全てを含むように理解される。異なることに言及されない限り、“含む”（ｃｏｍｐｒｉｓｉｎｇ、ｈａｖｉｎｇ、ｉｎｃｌｕｄｉｎｇ、及びｃｏｎｔａｉｎｉｎｇ）の用語は開放形の意味として理解される（即ち、“含むが、制限されない”を意味する）。
【００２０】
図面で示すシステムが実際にいくつかのシステムと同様なモデルであることは技術分野で通常の知識を有する者に明確である。
説明したモジュール及び論理構造の一部は、マイクロプロセッサ又は類似の装置によって遂行されるソフトウェアで具現されるか、又は例えば、“ＡＳＩＣｓ”（ａｐｐｌｉｃａｔｉｏｎ  ｓｐｅｃｉｆｉｃ  ｉｎｔｅｇｒａｔｅｄ  ｃｉｒｃｕｉｔｓ）を含む多様な構成要素を使用してハードウェアで具現することができる。
“プロセッサ”のような用語は、ハードウェア及び／又はソフトウェアの全てを言及するか、又は含むことができる。大文字の使用が特定な意味を暗示するものではなく、このように単純に推論されるべきでない。
【００２１】
同様に、本文で使用される“構成（ｃｏｍｐｏｎｅｎｔ）”又は“モジュール（ｍｏｄｕｌｅ）”の用語は特定動作を遂行する、ＦＰＧＡ（ｆｉｅｌｄ  ｐｒｏｇｒａｍｍａｂｌｅ  ｇａｔｅ  ａｒｒａｙ）又はＡＳＩＣのような、ソフトウェア又はハードウェア構成を意味する。
しかし、これに限定されるものではない。構成又はモジュールは有利にアドレス指定のストレージ媒体内に位置するように構成されることができ、１つ以上のプロセスを遂行するように構成されることができる。
したがって、構成要素は、例として、ソフトウェア構成要素（ｓｏｆｔｗａｒｅ  ｃｏｍｐｏｎｅｎｔｓ）、客体指向ソフトウェア構成要素（ｏｂｊｅｃｔ−ｏｒｉｅｎｔｅｄ  ｓｏｆｔｗａｒｅ  ｃｏｍｐｏｎｅｎｔｓ）、クラス構成要素及びタスク構成要素（ｃｌａｓｓ  ｃｏｍｐｏｎｅｎｔｓ  ａｎｄ  ｔａｓｋ  ｃｏｍｐｏｎｅｎｔｓ）、プロセス（ｐｒｏｃｅｓｓｅｓ）、機能（ｆｕｎｃｔｉｏｎｓ）、属性（ａｔｔｒｉｂｕｔｅｓ）、プロシージャ（ｐｒｏｃｅｄｕｒｅｓ）、サブルーチン（ｓｕｂｒｏｕｔｉｎｅｓ）、プログラムコードのセグメント（ｓｅｇｍｅｎｔｓ  ｏｆ  ｐｒｏｇｒａｍ  ｃｏｄｅ）、ドライバー（ｄｒｉｖｅｒｓ）、ファームウェア（ｆｉｒｍｗａｒｅ）、プログラムコード（ｍｉｃｒｏｃｏｄｅ）、回路（ｃｉｒｃｕｉｔｒｙ）、データ（ｄａｔａ）、データベース（ｄａｔａｂａｓｅｓ）、データ構造（ｄａｔａ  ｓｔｒｕｃｔｕｒｅｓ）、テーブル（ｔａｂｌｅｓ）、アレイ（ａｒｒａｙｓ）、及び変数（ｖａｒｉａｂｌｅｓ）を含む。
構成又はモジュールのために提供される機能は、さらに少ない構成及び／又はモジュールで組み合わされるか、また追加的な構成及び／又はモジュールで分離することができる。
【００２２】
異なって定義されない限り、ここに使用されるすべての技術的及び科学的用語はこの発明が属する技術分野の当業者によって共通的に理解されることができる同一の意味を有する。
さらに、異なって定義されない限り、一般的な辞書的な用語内定義されたすべての用語はそれらの一般的な意味として解釈されなければならない。
任意及びすべての実施形態、又はここに提供された例示的な用語は単なる一般的な発明の概念をさらに詳しく説明するために使用したものであり、別の言及がなければ、本発明の範囲を限定しない。
【００２３】
本発明の実施形態は、使用者の手首を通じて心電図（ｅｌｅｃｔｒｏｃａｒｄｉｏｇｒａｍ、ＥＣＧ）をモニターリングするためのウェアラブル装置を提供するシステムに関する。
【００２４】
図１及び図２は、本発明の一実施形態によるモジュール型ウェアラブルセンサープラットフォーム（ｍｏｄｕｌａｒ  ｗｅａｒａｂｌｅ  ｓｅｎｓｏｒ  ｐｌａｔｆｏｒｍ）を示す斜視図である。
一方、図３は、本発明の他の実施形態によるウェアラブルセンサープラットフォーム１０の分解側面図である。
たとえば、図１及び図２でウェアラブルセンサープラットフォームの構成要素は実質的に同一であるが、モジュール及び／又は構成要素の位置は異なることを特徴とする。
【００２５】
図１に示す実施形態で、ウェアラブルセンサープラットフォーム１０は身体の一部（ここでは使用者の手首）にフィッティング（ｆｉｔｔｉｎｇ）されるスマート時計又は他のウェアラブル装置として具現することができる。
ウェアラブルセンサープラットフォーム１０は、ベースモジュール（ｂａｓｅ  ｍｏｄｕｌｅ）１８、バンド（ｂａｎｄ）１２、クラスプ（ｃｌａｓｐ）３４、バッテリー（ｂａｔｔｅｒｙ）２２、及びバンド１２に結合されたセンサーモジュール（ｓｅｎｓｏｒ  ｍｏｄｕｌｅ）１６を含む。
【００２６】
一部の実施形態で、ウェアラブルセンサープラットフォーム１０のモジュール及び／又は構成要素は、最終使用者（例えば、消費者、患者、医師等）によって着脱可能である。
しかし、他の実施形態で、ウェアラブルセンサープラットフォーム１０のモジュール及び／又は構成要素は、製造者によってウェアラブルセンサープラットフォーム１０に統合されることができ、そして最終使用者によって除去されるように意図しなくともよい。
ウェアラブルセンサープラットフォーム１０は防水処理され得る。
【００２７】
バンド又はストラップ（ｓｔｒａｐ）１２は、一体型又はモジュール型である。
バンド１２は、織物で構成されてもよい。
例えば、バンド１２は巻かれ、拡張できるゴム材質のメッシュ／織物を幅広く考慮することができる。
また、バンド１２は、マルチ−バンド（ｍｕｌｔｉ−ｂａｎｄ）又はモジュール型リンク（ｍｏｄｕｌａｒ  ｌｉｎｋ）で構成することができる。
バンド１２は、特定の段階で時計が固定されるようにクラスプ又はラッチを含むことができる。
特定の実施形態で、バンド１２は、他の事物の中で、ベースモジュール１８及びセンサーモジュール１６を連結する配線（図示せず）を含む。
【００２８】
ベースモジュール１８とセンサーモジュール１６との間の無線通信又はこの無線通信と有線通信との組み合わせも考慮することができる。
センサーモジュール１６がウェアラブルセンサープラットフォーム１０の底に位置するか、又はそれとは異なる方式に、ベースモジュール１８の反対側の端部上に位置するように、センサーモジュール１６はバンド１２に脱着可能であるように付着することができる。
センサーモジュール１６が使用者の手首下部の皮膚と少なくとも部分的に接触するようにセンサーモジュール１６を配置することによって、センサーユニット２８は使用者から生理学的なデータを感知することができる。
センサーユニット２８の接触面は、センサーモジュール１６の表面上に、表面又は下に、又はこのような位置を組み合わせた位置に位置する。
【００２９】
ベースモジュール１８がウェアラブルセンサープラットフォーム１０の上端に位置するように、ベースモジュール１８はバンド１２に付着される。
このような方法にベースモジュール１８を位置させる場合、ベースモジュール１８は手首の上部と少なくとも部分的に接触することができる。
ベースモジュール１８は、ベースコンピューティングユニット（ｂａｓｅｃｏｍｐｕｔｉｎｇ  ｕｎｉｔ）２０及びグラフィックユーザインターフェイス（ｇｒａｐｈｉｃａｌ  ｕｓｅｒ  ｉｎｔｅｒｆａｃｅ）ＧＵＩを提供することができるディスプレイ２６を含む。
ベースモジュール１８は、例えば、時間の表示、計算の遂行及び／又はセンサーモジュール１６から収集されたセンサーデータを含むデータの表示を含む機能を遂行する。
【００３０】
センサーモジュール１６との通信に加えて、ベースモジュール１８は身体領域ネットワーク（ｂｏｄｙ  ａｒｅａ  ｎｅｔｗｏｒｋ）を形成するために使用者の他の身体部位に着用された他のセンサーモジュール（図示せず）、又はスマートフォン、タブレットコンピュータ、ディスプレイ装置又は他のコンピューティング装置のような、無線接続可能装置（図示せず）と無線で通信することができる。
【００３１】
図４でさらに詳しく説明するが、ベースコンピューティングユニット２０、プロセッサ３６、メモリ３８、入出力部（Ｉ／Ｏ）４０、通信インターフェイス４２、バッテリー２２、及び加速度計／ジャイロスコープ（ａｃｃｅｌｅｒｏｍｅｔｅｒ／ｇｙｒｏｓｃｏｐｅ）４６、及び温度計４８のようなセンサー４４のセットを含むことができる。
他の実施形態で、ベースモジュール１８は、また他の大きさ、ケース、及び／又はフォームファクタ、例えば、大型（ｏｖｅｒｓｉｚｅｄ）、インライン型（ｉｎ−ｌｉｎｅ）、ラウンド型（ｒｏｕｎｄ）、長方形型、正方形型、楕円形型、カレ型（Ｃａｒｒｅ）、キャリッジ型（Ｃａｒａｇｅ）、トノウ型（Ｔｏｎｎｅａｕ）、非対称形型等のようなフォームファクタを有することができる。
【００３２】
センサーモジュール１６は、使用者からデータ（例えば、生理学的データ、活動データ、睡眠統計、及び／又は他のデータ）を収集し、そしてベースモジュール１８と通信する。
センサーモジュール１６は、センサープレート（ｓｅｎｓｏｒ  ｐｌａｔｅ）３０に収容されたセンサーユニット２８を含む。
特定の具現において、腕時計のような、携帯用装置は非常に小さい体積及び限定されたバッテリー電力を有するので、開示された形態のセンサーユニット２８は腕時計でのセンサー測定の具現に特に適切である。
一部の実施形態で、センサーモジュール１６はベースモジュール１８が固定的に配置されないようにバンド１２に調節可能に付着されるが、手首の生理学的気質にしたがって異なって構成することができる。
【００３３】
センサーユニット２８は、光センサーアレイ、温度計、ガルバニック皮膚反応（Ｇａｌｖａｎｉｃ  Ｓｋｉｎ  Ｒｅｓｐｏｎｓｅ、ＧＳＲ）センサーアレイ、生体抵抗（ｂｉｏｉｍｐｅｄａｎｃｅ、ＢｉｏＺ）センサーアレイ、心電図（ｅｌｅｃｔｒｏｃａｒｄｉｏｇｒａｍ又はｅｌｅｃｔｒｏｃａｒｄｉｏｇｒａｐｈｙ、ＥＣＧ）センサー、又はこれらの組み合わせを含むことができる。
センサーユニット２８は、外界（ｏｕｔｓｉｄｅ  ｗｏｒｌｄ）に関する情報を取得し、それをモジュール型ウェアラブルセンサープラットフォーム１０に提供することができる。
【００３４】
センサーユニット２８は、また、使用者に、使用者入力又は環境入力及び、フィードバックを提供するための他の構成要素と共に機能することができる。
例えば、ＭＥＭＳ（ｍｉｃｒｏｅｌｅｃｔｒｏｍｅｃｈａｎｉｃａｌ  ｓｙｓｔｅｍｓ）加速度計は、プロセッサ３６によって使用される位置、動き、傾き、衝撃、及び振動のような情報を測定するのに使用することができる。
また、他のセンサーも使用することができる。センサーモジュール１６は、またセンサーコンピューティングユニット（ｓｅｎｓｏｒ  ｃｏｍｐｕｔｉｎｇ  ｕｎｉｔ）３２を含む。
センサーユニット２８は、また、生物学的センサー（例えば、パルス、パルスオキシメトリー（ｐｕｌｓｅ  ｏｘｉｍｅｔｒｙ）、体温、血圧、体脂肪、等）、物体の接近を探知するための接近探知器、及び環境センサー（例えば、温度、濕度、周辺光、気圧、高度、方位、その他の等）を含む。
【００３５】
他の実施形態において、クラスプ３４は、またＥＣＧ電極を提供する。
１つ以上のセンサーユニット２８及びクラスプ３４のＥＣＧ電極は、クラスプ３４が接触された場合、完全なＥＣＧ信号回路を形成する。
センサーコンピューティングユニット３２はデータを分析し、データに対する動作（例えば、計算）を遂行し、データを伝達し、一部の実施形態においては、センサーユニット２８によって収集されたデータを格納する。
一部の実施形態において、センサーコンピューティングユニット３２はセンサーユニット２８の１つ以上のセンサーからデータ（例えば、ＥＣＧ信号を示すデータ）を受信し、信号（例えば、ＥＣＧ信号）の予め定義された表現を形成するために受信されたデータを処理する。
【００３６】
センサーコンピューティングユニット３２は、またデータ及び／又は受信されたデータの処理された形態を１つ以上の予め定義された受信先（ｒｅｃｉｐｉｅｎｔ）（例えば、ベースコンピューティングユニット２０）に追加的な処理、表示、通信等のために伝達するように構成する。
例えば、特定の具現例において、ベースコンピューティングユニット２０及び／又はセンサーコンピューティングユニットは、データが信頼できるか否かを判別し、そして使用者にデータに対する信頼性の表示を決定する。
【００３７】
センサーコンピューティングユニット３２がセンサープレート３０に統合できるので、センサーコンピューティングユニット３２は図１では点線で示した。
他の実施形態において、センサーコンピューティングユニット３２は省略されるか、又はウェアラブルセンサープラットフォーム１０上のいずれかのところ又はウェアラブルセンサープラットフォーム１０で離れたいずれかのところに位置することができる。
センサーコンピューティングユニット３２が省略された実施形態でも、ベースコンピューティングユニット２０はセンサーコンピューティングユニット３２によって遂行することができる機能を遂行することができる。
センサーモジュール１６とベースモジュール１８との組み合わせを通じて、データは収集、伝送、格納、分析、使用者に伝送、及び表示することができる。
【００３８】
図１で示したウェアラブルセンサープラットフォーム１０は、図２及び図３で示したウェアラブルセンサープラットフォーム１０と類似である。
したがって、ウェアラブルセンサープラットフォーム１０は、バンド１２、バッテリー２２、クラスプ３４、ディスプレイ／ＧＵＩ２６を含むベースモジュール１８、ベースコンピューティングユニット２０、センサーユニット２８を含むセンサーモジュール１６、センサープレート３０、及び選択的なセンサーコンピューティングユニット３２を含む。
しかし、図３で分かるように、特定のモジュールの位置は変更され得る。
【００３９】
例えば、図３でクラスプ３４は図１でのクラスプ３４に比べてディスプレイ／ＧＵＩ２６にさらに近い。
同様に、図３で、バッテリー２２は、ベースモジュール１８に収容される。
図１で示した実施形態で、バッテリー２２はディスプレイ２６の反対側のバンド１２上に収容される。しかし、一部の実施形態では、バッテリー２２はベースモジュール１８及び選択的にベースモジュール１８の内部又は永久的なバッテリー（図示せず）を充電するものと理解されなければならない。
このような方式で、ウェアラブルセンサープラットフォーム１０は持続的に着用することができる。
したがって、多様な実施形態で、モジュール及び他の構成要素の位置及び／又は機能は変更することができる。
【００４０】
図４は、本発明の他の実施形態によるベースモジュール１８を含むモジュール型ウェアラブルセンサープラットフォーム１０の構成を示すブロック図である。
ウェアラブルセンサープラットフォーム１０は、図１及び図２のウェアラブルセンサープラットフォーム１０と類似であり、したがって類似の図面符号を有する類似の構成要素を含む。
本実施形態において、ウェアラブルセンサープラットフォーム１０は、バンド１２及びバンド１２に付着されたセンサーモジュール１６を含む。
着脱可能なセンサーモジュール１６は、バンド１２に付着されたセンサープレート３０及びセンサープレート３０に付着されたセンサーユニット２８をさらに含む。
センサーモジュール１６は、またセンサーコンピューティングユニット３２を含む。
【００４１】
ウェアラブルセンサープラットフォーム１０は、ベースコンピューティングユニット２０と類似の図３のベースコンピューティングユニット２０及び図３の１つ以上のバッテリー２２を含む。
例えば、図１及び図２のバッテリー２２と類似の永久的な及び／又は着脱可能なバッテリー２２を提供することができる。
一実施形態において、ベースコンピューティングユニット２０は、通信インターフェイス４２を通じてセンサーコンピューティングユニット３２と通信するか、或いはセンサーコンピューティングユニット３２を制御することができる。
一実施形態において、通信インターフェイス４２は直列インターフェイスを含む。
ベースコンピューティングユニット２０は、プロセッサ３６、メモリ３８、Ｉ／Ｏ４０、ディスプレイ２６、通信インターフェイス４２、センサー４４、及び電源管理ユニット（ｐｏｗｅｒ  ｍａｎａｇｅｍｅｎｔ  ｕｎｉｔ）８８を含む。
【００４２】
プロセッサ３６、メモリ３８、Ｉ／Ｏ４０、通信インターフェイス４２、及びセンサー４４は、システムバス（図示せず）を通じて互いに接続される。
プロセッサ３６は、１つ以上のコアを有するシングルプロセッサ、又は１つ以上のコアを有するマルチプロセッサを含む。
プロセッサ３６は、使用者によって与えられた口頭によるオーディオ周波数命令（ｖｅｒｂａｌ  ａｕｄｉｏ  ｆｒｅｑｕｅｎｃｙ  ｃｏｍｍａｎｄ）を収容、受信、変換、及び処理するＩ／Ｏと共に構成される。
例えば、オーディオコーデック（ａｕｄｉｏ  ｃｏｄｅｃ）を使用することができる。
【００４３】
プロセッサ３６は、オペレーティングシステム（ｏｐｅｒａｔｉｎｇ  ｓｙｓｔｅｍ）ＯＳ９０及び多様なアプリケーションの命令を実行する。
プロセッサ３６は、装置構成要素の間の命令相互作用及びＩ／Ｏインターフェイスを通じた通信を制御する。
ＯＳ９０の例示は、リナックス（登録商標）アンドロイド（Ｌｉｎｕｘ（登録商標）  Ａｎｄｒｏｉｄ（登録商標））、アンドロイドウェア（Ａｎｄｒｏｉｄ（登録商標）  Ｗｅａｒ）、及びタイゼン（Ｔｉｚｅｎ（登録商標））ＯＳを含むが、これに制限されることではない。
【００４４】
メモリ３８は、例えば、ＲＡＭ（例えば、ＤＲＡＭ及びＳＲＡＭ）、ＲＯＭ、キャッシュ、仮想メモリ、マイクロドライブ、ハードディスク、マイクロＳＤカード、及びフラッシュメモリを含む他のメモリタイプを含む１つ以上のメモリを含む。
Ｉ／Ｏ４０は、情報を受信し、そして情報を出力する構成要素の集合を含む。
入力された、出力された又は他の処理されたデータを収容することができるＩ／Ｏ４０を含む構成要素の例としては、マイク、メッセージング（ｍｅｓｓａｇｉｎｇ）、カメラ、及びスピーカーを含む。
Ｉ／Ｏ４０は、またオーディオチップ（図示せず）、ディスプレイ制御器（図示せず）、及びタッチスクリーン制御器（図示せず）を含む。
図４で示す実施形態で、メモリ３８はプロセッサ３６の外部に位置する。
他の実施形態で、メモリ３８はプロセッサ３６に内装された内部メモリである。
【００４５】
通信インターフェイス４２は、単方向又は双方向無線通信を支援するための構成要素を含み、そして一部の具現例としてネットワークを通じた無線通信、他の具現例として有線インターフェイス、又は多重インターフェイスのための無線ネットワークインターフェイス制御器（又はこれと類似の構成要素）を含む。
一実施形態において、通信インターフェイス４２は、データ（ディスプレイ２６上で表示され、アップデートされるストリーミングデータを含む）を主に遠隔で受信するためのものである。
しかし、代案的な実施形態として、データを送信することの他に、通信インターフェイス４２は、また音声伝送を支援することができる。
例示的な実施形態において、通信インターフェイス４２は、低い電力及び中間電力の無線（ｒａｄｉｏ  ｆｒｅｑｕｅｎｃｙ）通信を支援する。
特定の具現例において、無線通信の例示的な形態は、ＢＬＥ（Ｂｌｕｅｔｏｏｔｈ（登録商標）  Ｌｏｗ  Ｅｎｅｒｇｙ）、ＷＬＡＮ（ｗｉｒｅｌｅｓｓ  ｌｏｃａｌ  ａｒｅａ  ｎｅｔｗｏｒｋ）、ＷｉＭＡＸ（登録商標）、受動ＲＦＩＤ（ｒａｄｉｏ−ｆｒｅｑｕｅｎｃｙ  ｉｄｅｎｔｉｆｉｃａｔｉｏｎ）、ネットワークアダプター及びモデムを含む。
【００４６】
しかし、他の実施形態において、無線通信の例示的な形態は、ＷＡＮ（Ｗｉｄｅ  Ａｒｅａ  Ｎｅｔｗｏｒｋ）インターフェイス、Ｗｉ−Ｆｉ、ＷＰＡＮ、マルチホップネットワーク（ｍｕｌｔｉ−ｈｏｐ  ｎｅｔｗｏｒｋ）、又は３Ｇ、４Ｇ、５Ｇ、又はＬＴＥ（Ｌｏｎｇ  Ｔｅｒｍ  Ｅｖｏｌｕｔｉｏｎ）のようなセルラーネットワークを含む。
他の無線オプションは、例えば、ＵＷＢ（ｕｌｔｒａ−ｗｉｄｅ  ｂａｎｄ）及び赤外線通信を含む。
通信インターフェイス４２は、また接触を通じた直列通信及び／又はＵＳＢ通信のような、無線以外の他のタイプの通信装置（図示せず）を含む。
例えば、マイクロＵＳＢ−タイプのＵＳＢ、フラッシュドライブ、又は他の有線接続は通信インターフェイス４２と共に使用することができる。
【００４７】
一実施形態において、ディスプレイ２６は、ベースコンピューティングユニット２０と共に統合することができる。
一方、他の実施形態では、ディスプレイ２６は、ベースコンピューティングユニット２０の外部に位置することができる。
ディスプレイ２６は、平面（ｆｌａｔ）又は曲面（ｃｕｒｖｅｄ）、例えば、モジュール型ウェアラブルセンサープラットフォーム１０が位置する身体部位（例えば、手首、足首、頭、その他の等）と類似の曲率を有する曲面形状であってもよい。
【００４８】
ディスプレイ２６は、タッチスクリーン又はジェスチャーで制御することができる。
ディスプレイ２６は、ＯＬＥＤ（Ｏｒｇａｎｉｃ  Ｌｉｇｈｔ  Ｅｍｉｔｔｉｎｇ  Ｄｉｏｄｅ）ディスプレイ、ＴＦＴ  ＬＣＤ（Ｔｈｉｎ−Ｆｉｌｍ−Ｔｒａｎｓｉｓｔｏｒ  Ｌｉｑｕｉｄ  Ｃｒｙｓｔａｌ  Ｄｉｓｐｌａｙ）、又は他の適当なディスプレイ技術である。
ディスプレイ２６は、アクティブマトリックス（ａｃｔｉｖｅ−ｍａｔｒｉｘ）であり得る。
ディスプレイ２６の例示は、ＡＭＯＬＥＤ（ａｃｔｉｖｅ−ｍａｔｒｉｘ  ｏｒｇａｎｉｃ  ｌｉｇｈｔ−ｅｍｉｔｔｉｎｇ  ｄｉｏｄｅ）ディスプレイ又はＳＬＣＤ（ｓｕｐｅｒ  ｌｉｑｕｉｄ−ｃｒｙｓｔａｌ−ｄｉｓｐｌａｙ）である。
ディスプレイは、３Ｄ又はフレキシブル（ｆｌｅｘｉｂｌｅ）ディスプレイである。
【００４９】
センサー４４は、すべてのＭＥＭｓ（ｍｉｃｒｏｅｌｅｃｔｒｏｍｅｃｈａｎｉｃａｌ  ｓｙｓｔｅｍｓ）センサーを含む。
例えば、このようなセンサーは、加速度計／ジャイロスコープ４６及び温度計４８を含むことができる。
【００５０】
電源管理ユニット８８は、電源２２に接続され、そして少なくともベースコンピューティングユニット２０の電力機能（ｐｏｗｅｒ  ｆｕｎｃｔｉｏｎ）を伝達及び／又は制御するマイクロコントローラを含む。
電源管理ユニット８８は、プロセッサ３６と通信し、そして電源管理を調節する。
一部の実施形態において、電源管理ユニット８８は電源レベルが特定の閾値レベル下に低下したか否かを判別する。
他の実施形態において、電源管理ユニット８８は補助充電のためにどのくらいの時間が経過したのかを判別する。
【００５１】
電源２２は、永久的な又は着脱可能なバッテリー、燃料電池、又は光電圧電池等である。
バッテリー２２は、使い捨てであってもよい。
一実施形態において、電源２２は再充電可能であり、例えば、リチウムイオンバッテリー又はそのようなものを使用することができる。
電源管理ユニット８８は、バッテリー２２を充電するために電圧コントローラ及び充電コントローラを含む。
一部の具現において、１つ以上の太陽電池を電源２２として使用することができる。
電源２２は、また、ＡＣ／ＤＣ電源供給を動力として利用するか、或いはこれらによって充電され得る。
電源２２は、非接触又は接触充電方式に充電することができる。
一実施形態において、電源管理ユニット８８は、また電源インターフェイス５２を通じて着脱可能なセンサーモジュール１６にバッテリー電力の供給を伝達及び／又は制御することができる。
一部の実施形態では、バッテリー２２はベースコンピューティングユニット２０に内装され得る。他の実施形態では、バッテリー２２はベースコンピューティングユニット２０の外部に位置することができる。
【００５２】
他のウェアラブル装置構成も使用することができる。
例えば、ウェアラブルセンサーモジュールプラットフォーム１０は、下腕、腰、手指、足首、首、胸、又は足に着用することができる。
即ち、ウェアラブルセンサーモジュールプラットフォーム１０が正確であり、信頼性あるデータを取得するためにセンサーユニット２８が使用者の皮膚に近接した位置で接触することを十分に保障できる足又は腕バンド、胸バンド、腕時計、頭バンド、快適にフィッティングされるシャツのような使用者によって着用される衣類、又は使用者によって着用される何らかの他の物理的装置又は装置の集合で具現することができる。
【００５３】
図５は、手首に使用されたセンサーが装着されたバンドと接触された手首１４の断面図である。
さらに具体的には、例えば、図６は、ウェアラブルセンサーモジュール１０の一実施形態を示す図である。
図６の上端部は、使用者の手首１４の断面周囲を囲んだウェアラブルセンサーモジュール１０を示し、一方、図６の下端部は、平らに開けたバンド１２を示す。
【００５４】
本実施形態によれば、ウェアラブルセンサーモジュール１０は、少なくとも光センサーアレイ５４を含み、そしてまたガルバニック皮膚反応（ｇａｌｖａｎｉｃ  ｓｋｉｎ  ｒｅｓｐｏｎｓｅ、ＧＳＲ）センサーアレイ５６、生体抵抗（ｂｉｏｉｍｐｅｄａｎｃｅ、ＢｉｏＺ）センサーアレイ５８、及び心電図センサー（ｅｌｅｃｔｒｏｃａｒｄｉｏｇｒａｍ以下、ＥＣＧ）６０のような、選択的なセンサーを含むか、又はセンサーアレイを含む何らかの組み合わせを含むことができる。
他の実施形態によれば、バンド１２が身体部位に着用される場合、各センサーアレイが特定の血管（即ち、動脈、静脈、又は毛細血管）又は血管と関係なく、高い電気的な反応を有する領域上を覆っているか、又はそうでなければ、特定の血管又は血管と関係なく、高い電気的な反応を有する領域を取り扱うように、センサーユニット２８はバンド１２上に配列又は配置される個別センサーのアレイを含むセンサーアレイで構成される。
【００５５】
さらに具体的には、図５及び図６で示すように、センサーアレイは、血管（例えば、橈骨動脈１４Ｒ及び／又は尺骨動脈１４Ｕ）の縦軸に実質的に垂直に配置され、そして最適の信号を取得するために血管の幅に重ねる。
一実施形態において、バンド１２は、センサーアレイを含むセンサーユニット２８が使用者の皮膚と接触するように着用され、使用者の手首１４のような身体部位に対する動きを防がなく、センサー接触点において使用者を不便にしない程度にタイトに装着される。
【００５６】
他の実施形態において、センサーユニット２８は、相対的な血流量、パルス及び／又は血中酸素濃度を測定することができるＰＰＧ（ｐｈｏｔｏｐｌｅｔｈｙｓｍｏｇｒａｐｈ）センサーアレイを含む光センサーアレイ５４を含む。
本実施形態では、光センサーアレイ５４は充分な正確性及び信頼性を有する適切な測定をするために動脈（橈骨動脈又は尺骨動脈のような）上に十分に近接するようにセンサーモジュール１６を配列させる。
【００５７】
以下で、光センサーアレイ５４をより具体的に説明する。
一般的に、個別光センサー５５の各々の構成及びレイアウトは、使用する場合によって多様に変更し得る。
一実施形態では、光センサーアレイ５４は個別光センサー５５のアレイを含む。
個別光センサー５５の各々は、少なくとも１つの光検出器６２及び光検出器６２に隣接するように位置した少なくとも２つのマッチング光源６４の組み合わせである。
一実施形態では、個別光センサー５５の各々は、隣接する光センサーから約０．５ｍｍ乃至２ｍｍの予め決定された距離程度バンド１２上で互いに離隔している。
【００５８】
接触する皮膚の一部が、使用する期間の間に（数日または数週の間に）適切に空気に露出されなければ、このような装置の継続的な着用は、皮膚刺激を発生させる傾向がある。
ＬＥＤが放出する例示的な光の色は、緑色、赤色、近赤外線、及び赤外線波長を含む。
光検出器６２の各々は、受信された光エネルギーを電気的な信号に変換する。
一実施形態において、信号は反射光容積脈波（ｒｅｆｌｅｃｔｉｖｅ  ｐｈｏｔｏｐｌｅｔｈｙｓｍｏｇｒａｐｈ）信号を含む。
他の実施形態において、信号は透過光容積脈波（ｔｒａｎｓｍｉｔｔａｎｃｅ  ｐｈｏｔｏｐｌｅｔｈｙｓｍｏｇｒａｐｈ）信号を含む。
一実施形態では、光検出器６２はフォトトランジスタ（ｐｈｏｔｏｔｒａｎｓｉｓｔｏｒ）を含む。
代案的な実施形態では、光検出器６２はＣＣＤ（ｃｈａｒｇｅ−ｃｏｕｐｌｅｄ  ｄｅｖｉｃｅ）を含む。
【００５９】
図７は、本発明の更に他の実施形態によるウェアラブルセンサーモジュールの構成要素の他の構成を示すブロック図である。
本実施形態で、ＥＣＧ６０、生体抵抗センサーアレイ５８、ＧＳＲアレイ５６、温度計４８、光センサーアレイ５４は、バンド１２上のセンサーからデータを制御し、受信する光電子ユニット（ｏｐｔｉｃａｌ−ｅｌｅｃｔｒｉｃ）６６に連結される。
他の具現では、光電子ユニット６６はバンド１２の一部である。
代案的な具現では、光電子ユニット６６はバンド１２から分離される。
【００６０】
光電子ユニット６６は、「ＥＣＧ及びＢＩＯＺ（ｂｉｏｉｍｐｅｄａｎｃｅ）ＡＦＥ（ａｎａｌｏｇ  ｆｒｏｎｔ  ｅｎｄ）」（７６、７８）、「ＧＳＲ  ＡＦＥ」７０、光センサーＡＦＥ７２、プロセッサ３６、ＡＤＣ（ａｎａｌｏｇ−ｔｏ−ｄｉｇｉｔａｌ  ｃｏｎｖｅｒｔｅｒ）７４、メモリ３８、加速度計４６、圧力センサー８０、及び電源２２を含む。
ここで使用されるように、ＡＦＥ６８は、対応するセンサーとＡＤＣ７４又はプロセッサ３６の間のアナログ信号コンディショニング回路インターフェイス（ａｎａｌｏｇ  ｓｉｇｎａｌ  ｃｏｎｄｉｔｉｏｎｉｎｇ  ｃｉｒｃｕｉｔｒｙ  ｉｎｔｅｒｆａｃｅ）を含む。
「ＥＣＧ及びＢＩＯＺ  ＡＦＥ」（７６、７８）は、ＥＣＧ６０及び生体抵抗センサーアレイ５８と信号を交換する。
「ＧＳＲ  ＡＦＥ」７０はＧＳＲアレイ５６と信号を交換し、そして光センサーＡＦＥ７２は光センサーアレイ５４と信号を交換する。
【００６１】
一実施形態では、「ＧＳＲ  ＡＦＥ」７０、光センサーＡＦＥ７２、加速度計４６、及び圧力センサー８０はバス８６を通じてＡＤＣ７４と接続される。
ＡＤＣ７４は電圧のような物理量の大きさを示すデジタル値に変換する。
一実施形態では、「ＥＣＧ及びＢＩＯＺ  ＡＦＥ」（７６、７８）、メモリ３８、プロセッサ３６、及びＡＤＣ７４は、マイクロコントローラ８２の構成要素を含む。
一実施形態では、「ＧＳＲ  ＡＦＥ」７０及び光センサーＡＦＥ７２は、またマイクロコントローラ８２の一部である。
【００６２】
一実施形態において、プロセッサ３６は、例えば、ＡＲＭホールディングスのＣｏｒｔｅｘ  ３２−ｂｉｔ  ＲＩＳＣ  ＡＲＭプロセッサコアのような、ＲＩＳＣ（ｒｅｄｕｃｅｄ  ｉｎｓｔｒｕｃｔｉｏｎ  ｓｅｔ  ｃｏｍｐｕｔｅｒ）を含む。
図７で示した実施形態では、メモリ３８はマイクロコントローラ８２に内装された内部メモリである。
他の実施形態では、メモリ３８はマイクロコントローラ８２の外部に位置する。
【００６３】
例示的な実施形態によれば、プロセッサ３６は、センサー補正及びデータ獲得機能を遂行する数ある補正及びデータ獲得部８４を実行する。
一実施形態において、センサー補正機能は、血管に対して１つ以上のセンサーアレイを自己整列（ｓｅｌｆ−ａｌｉｇｎｉｎｇ）するためのプロセスを含む。
一実施形態では、センサー補正は、センサーからデータを受信する前、開始段階で、又は動作する間に、周期的な間隔で遂行することができる。
【００６４】
他の実施形態で、センサーユニット２８は、またガルバニック皮膚反応（ＧＳＲ）センサーアレイ５６を含み、それは水分レベルによって変わる皮膚の電気伝導度を測定する４つ以上のＧＳＲセンサーを含む。
通常的に、２つのＧＳＲセンサーが皮膚表面に沿って抵抗を測定するために必要である。
本実施形態の一側面によれば、ＧＳＲセンサーアレイ５６は、４つのＧＳＲセンサーを含むものと示され、４つの中のいずれか２つであっても使用のために選択することができる。
一実施形態では、ＧＳＲセンサー５６はバンド上で互いに２ｍｍ乃至５ｍｍ離れて位置する。
【００６５】
その他の実施形態において、センサーユニット２８は、また生体抵抗センサーアレイ５８を含み、それは生体電気インピーダンス又は組織を通じた電流の流れの反対を測定する４つ以上の生体抵抗センサー５９を含む。
通常的に、生体抵抗を測定するためには単なる２対の電極が必要である。
一対の電極は電流（Ｉ）用電極であり、他の一対の電極は電圧（Ｖ）用電極である。
しかし、例示的な実施形態によれば、生体抵抗センサーアレイ５８は少なくとも４つ乃至６個の生体抵抗センサー５９を含むように提供され、電極の中のいずれかの４つは電流（Ｉ）の対と電圧（Ｖ）の対のために選択される。
このような選択は、マルチプレクサーを使用してなされる。
【００６６】
図に示した実施形態で、生体抵抗センサーアレイ５８は、橈骨動脈又は尺骨動脈のような、動脈上を覆っていることと示した。
一実施形態では、生体抵抗センサー５９はバンド上で５ｍｍ乃至１３ｍｍ離れて位置する。
一実施形態では、生体抵抗センサー５９を含む１つ以上の電極が１つ以上のＧＳＲセンサー５６と多重化される。
その他の実施形態において、バンド１２は、使用者の心臓の周期的な電気活動を測定する１つ以上の心電図ＥＣＧセンサー６０を含む。
さらに、バンド１２は、温度又は温度勾配を測定するために温度計４８を含み得る。
【００６７】
調節可能なセンサー支持構造（ａｄｊｕｓｔａｂｌｅ  ｓｅｎｓｏｒ  ｓｕｐｐｏｒｔ  ｓｔｒｕｃｔｕｒｅ）の例示的な実施形態によれば、フレキシブルブリッジ（ｆｌｅｘｉｂｌｅ  ｂｒｉｄｇｅ）構造によって支持される一連のセンサーはバンドに沿って角と角が直列に連結される。
ブリッジで支持されるセンサーを具備するそのようなバンドは、例えば、手首１４に着用され得る。
手首１４のような測定位置に対して着用された場合、手首１４の変化するトポロジー（ｔｏｐｏｌｏｇｙ）は、このような手首１４の変化するトポロジに沿うバンドのため、ブリッジに同時に加えられる力を引き起こす。
【００６８】
その上に、他の種類の装置も使用者との相互作用を提供するために使用することができる。
例えば、使用者に提供されるフィードバックは感覚フィードバック（例えば、時刻フィードバック、聴覚フィードバック、又は触覚フィードバック）の何らかの形態であってもよく、そして使用者からの入力は音響、言語、又は触覚入力を含む何らかの形態にも受信することができる。
【００６９】
重力（ｇｒａｖｉｔｙ）は力である。
それは一般的に物体が互いに対してどのようにして相互作用するかを説明する。
例えば、地球が人に及ぶ重力（ｇｒａｖｉｔａｔｉｏｎａｌ  ｆｏｒｃｅ）は人が地球上に残っているようにする。
地球の重力は、しばしば地球ジーフォース（ｇ−ｆｏｒｃｅ）と称される。
微細重力（ｍｉｃｒｏ−ｇｒａｖｉｔｙ）又はハイポ重力（ｈｙｐｏ−ｇｒａｖｉｔｙ）は、一般的に重力が地球ジーフォースよりさらに小さい条件を指す。
例えば、月によって及ぶ重力は単なる地球ジーフォースによって及ぶ重力の一部に過ぎない。
他の例として、人工重力が無い場合、宇宙飛行又は宇宙ステーションで人は微細重力の対象になる。
同様に、超重力（ｓｕｐｅｒ−ｇｒａｖｉｔｙ）又は過重力（ｈｙｐｅｒ−ｇｒａｖｉｔｙ）は、重力が地球ジーフォースよりさらに大きい条件を指す。
例えば、離陸する宇宙船でジーフォースを受けた人は超重力の対象になる。
【００７０】
生物学的過程（ｐｒｏｃｅｓｓ）は重力の変化によって影響を受ける。
このような重力の変化は、有機体の健康及び機能に影響を与える。
例えば、人間心臓は、重力に対抗して頭及び上体に血液をポンプし、臓や肺に血液を戻すこと、また下肢に血液をポンプすることに対して地球重力が提供する利点を受け入れるように進化してきた。
例えば、微細重力下で、心臓の普通のポンピング機能は“パフィフェース症候群（ｐｕｆｆｙ  ｆａｃｅ  ｓｙｎｄｒｏｍｅ）”と称される現象につながるが、心臓が地球重力の利点を有しなく、そして低い下肢に血液を送るためにさらに強くポンプしなければならなく、脚の筋肉からあまり助けを受けないので、首と顔の静脈が拡張され、目は腫れて赤くなり、そして足はさらに細くなる。
【００７１】
このように、人間の生理学的パラメーター（例えば、血流、血液量、血液細胞生産、筋肉量及び骨質量のような）は人体に及ぶ重力によって変わる。
また、時間は、一般的に宇宙で異なって進行することが知られている（時間遅滞（ｔｉｍｅ  ｄｉｌａｔｉｏｎ））。そして、光もまた異なって進行することが知られている。
例えば、戦闘機が変化する“重力（ｇ）”条件下で飛行する場合、ジェット機飛行士の血流は変化することが知られている。
宇宙旅行、及び変化する重力条件は、血がそのような条件下で人間の動脈に流れる方式及びＭＥＭＳのような一部センサーが特定パラメーターを測定する方法に影響を与える。
追加的に、ＥＣＧ信号、血液及び／又は血流のように光を使用する測定は、変化する重力条件下で時間及び光配列動作によって異なるようになる。
即ち、そのようなセンサーの正確性は、また、生理学的変化及び／又は微細重力や超重力条件下で時間と光を測定する方法によって影響を受ける。
【００７２】
一部の実施形態において、したがって、センサーは他の重力条件を考慮して動作するように構成される。
例えば、加速度計／ジャイロスコープ４６は、モジュールによって経験される重力（例えば、微細重力）を測定するように構成することができる。
重力測定又は測定の表示データは、プロセッサ３６、ガルバニック皮膚反応ＧＳＲセンサーアレイ５６、生体抵抗ＢｉｏＺセンサーアレイ５８、心電図ＥＣＧセンサー６０、及び／又はセンサーユニット２８の中の１つ以上で供給され得る。
そうすると、プロセッサ３６、ガルバニック皮膚反応ＧＳＲセンサーアレイ５６、生体抵抗ＢｉｏＺセンサーアレイ５８、心電図ＥＣＧセンサー６０、及び／又はセンサーユニット２８は、重力データ及び／又は測定に基づいて較正（ｃａｌｉｂｒａｔｅ）される。
同様に、重力測定又は測定の表示データに基づいて、プロセッサ３６は、時間差（ｔｉｍｅ  ｄｉｆｆｅｒｅｎｔｉａｌ）及び光速度差（ｌｉｇｈｔ  ｓｐｅｅｄ  ｄｉｆｆｅｒｅｎｔｉａｌ）を判別するように構成され、時間と光の測定差による追加的な較正のためにそのような相違をガルバニック皮膚反応ＧＳＲセンサーアレイ５６、生体抵抗ＢｉｏＺセンサーアレイ５８、心電図ＥＣＧセンサー６０、及び／又はセンサーユニット２８の中の１つ以上に送るように構成することができる。
【００７３】
本明細書で記述したシステム及び技術は、バックエンド構成要素（ｂａｃｋ  ｅｎｄ  ｃｏｍｐｏｎｅｎｔ）（例えば、データサーバー）、又はミドルウェア構成要素（例えば、アプリケーションサーバー）、又はフロントエンド構成要素（例えば、使用者が本明細書で記述したシステム及び技術の具現と相互作用することができるグラフィックユーザインターフェイス又はウェブブラウザを有するクライアントコンピュータ）、又はこのようなバックエンド、ミドルウェア、又はフロントエンド構成要素のいずれかの組み合わせも含むコンピューティングシステムで具現することができる。
システムの構成要素は、デジタルデータ通信（例えば、通信ネットワーク）のいずれかの形式又は媒体によっても互いに接続される。
通信ネットワークの例示は、ＬＡＮ（ｌｏｃａｌ  ａｒｅａ  ｎｅｔｗｏｒｋ）、ＷＡＮ（ｗｉｄｅ  ａｒｅａ  ｎｅｔｗｏｒｋ）、及びインターネットを含む。
【００７４】
コンピューティングシステムは、クライアント及びサーバーを含む。
クライアント及びサーバーは、一般的に互いに離れており、そして一般的に通信ネットワークを通じて相互作用する。
クライアント及びサーバーの関係は、各コンピュータ上で駆動され、そして互いに対するクライアント−サーバー関係を有するコンピュータプログラムによって発生する。
多様なクラウドベースプラットフォーム及び／又は他のデータベースプラットフォームは、例えば、モジュール型センサープラットフォーム１０にデータを受信し、送信するためのモジュール型センサープラットフォーム１０の特定の具現例で使用することができる。
【００７５】
１つのこのような具現としては、マルチ−モーダルインタラクション（ｍｕｌｔｉ−ｍｏｄａｌ  ｉｎｔｅｒａｃｔｉｏｎ）のためのアーキテクチャ（図示せず）である。
このようなアーキテクチャは、モジュール型センサープラットフォーム１０のような、ウェアラブル装置及び他の装置、ウェブサイト、オンラインサービス、及びアプリケーション（ａｐｐｓ）のさらに大きいクラウドの間で人工知能の階層として使用することができる。
このようなアーキテクチャは、保管されたデータを有するモジュール型センサープラットフォーム１０からのデータを解釈（例えば、モニターリング及び比較によって）することを提供し、そしてこれは、例えば、使用者又は医療専門家に状態の変化を通知するのに使用することができる。
このようなアーキテクチャは、また、モジュール型センサープラットフォーム１０と、例えば、幾つかのソーシャルメディア、スポーツ、音楽、映画、電子メール、文字メッセージ、病院、処方箋のような、他の情報の間での相互作用を可能にすることができる。
【００７６】
図８〜１２は、バンド１２上に装着された脱着可能なセンサーモジュール１６を示すモジュール型ウェアラブルセンサープラットフォーム又は装置１０の様々な実施形態を示す。
ウェアラブルセンサープラットフォーム又はシステム（８００、９００、１０００、１１００、及び１２００）は、ウェアラブルセンサープラットフォーム１０と類似であり、したがって類似の図面符号を有する類似の構成要素を含む。
【００７７】
図に示した実施形態の各々は、脱着可能な電源２２を含み、センサーモジュール１６とベースモジュール１８との間、又はセンサーモジュール１６と遠隔装置やシステム（図示せず）との間での無線（又は有線）通信能力を含むことができる。
同様に、当業者によって理解することができるように、図８〜１２に示した１つ以上の実施形態は必要である用度によって図１〜３に示した実施形態を使用することができる。
【００７８】
図８〜１２は、身体部位の人体計測サイズが増加（又は減少）することによって、センサーモジュール１６は、使用期間にわたって生理学的測定及び使用者に便宜で適当なその最適又は最適に近い位置を維持し、一方でディスプレイ２６は人体計測サイズの大きい範囲にわたって身体部位に関するその位置を維持するように、ディスプレイ２６に相対的にセンサーモジュール１６を位置させた構成を使用する多様な実施形態を示す。
【００７９】
例えば、システム１０が手首に着用される場合、センサーモジュール１６は、手首の下方で、最適又は最適に近い位置及びソフトな圧力を維持し、一方でディスプレイ２６は、手首の大きさの範囲に関係なく、手首の上方で使用者が望む位置を維持する。
さらに具体的には、図８に示した実施形態で、センサーモジュール８１６は、選択的に脱着可能であり、またバンド８１２に付着されたセンサーモジュール８１６を含みセンサープレートに付着されたセンサーユニット（完全に図示されない）含む。
センサーモジュール８１６は、また図１〜３のセンサーコンピューティングユニット３２と同様のプロセッサ又はセンサーコンピューティングユニット（図示せず）を含む。
【００８０】
ウェアラブルセンサープラットフォーム又はシステム８００は、選択的なスマート装置又はベースモジュール８１８、ストラップ又はバンド８１２、ベースコンピューティングユニット８２０、ディスプレイ／ＧＵＩ８２６、及びバンド８１２に付着されたセンサーモジュール８１６を含むものとして示す。
一部の他の実施形態では、ウェアラブルセンサープラットフォーム８００は、選択的なベースモジュール８１８は含まない。
一部の実施形態では、ベースモジュール８１８は、通信インターフェイスと類似のインターフェイス（図示せず）を含む。
一部の実施形態では、モジュール型センサープラットフォーム又はシステム８００は、スマート時計（ｓｍａｒｔ  ｗａｔｃｈ）又はスマートフォン（ｓｍａｒｔ  ｐｈｏｎｅ）である。
【００８１】
多様な実施形態において、バンド８１２は、各固有の使用者に対して多様な大きさを有する他の身体部位の範囲（例えば、頭、胸、手首、足首、リング（ｒｉｎｇ））を快適に合わせるように構成される。
例えば、手首（ｗｒｉｓｔ：（又は手首回り））対して、バンド８１２は、小さい手首（手首回り）に対する約１３５ｍｍから大きい手首（手首回り）に対する約２１０ｍｍまでに至るように、同時に使用期間（例えば、継続的な、短時間又は長時間）に掛けて信頼できる測定及び使いやすさのために身体部位と充分なセンサーユニット８２８接触を維持するように、バンド８１２の長さに対する広い範囲の大きさに掛けて対称的に調節可能することができる。
【００８２】
このようなバンド８１２は、また身体部位周辺で同様の対称調整のための複数のサブ−バンド（図示せず）を含み、手首及びその周辺の空気が容易に循環され、それによって追加的な快適さを提供することができる。
このようなサブ−バンドは、水平又は垂直方向の層に配置することができる。
バンド８１２は、また多様な弾性を有することができる。
例えば、バンド８１２は、ベースモジュール８１８及び／又はセンサーモジュール８１６で、又はその付近で、より小さい弾性領域を有し、バンド８１２の残る位置でより大きい弾性領域を有することができる。
バンド８１２に対する他の材料特性は考慮され、当業者によって理解されるべきである。
【００８３】
例えば、バンド８１２は、一般的に化学的に不活性物質、医療用物質、低刺激性シリコン、ゴム、グラフェン（ｇｒａｐｈｅｎｅ）、及びその他の等で構成される。
バンド８１２は、弾性重合体物質、非金属物質、非磁性金属、成形プラスチック、衝撃−抵抗プラスチック、フレキシブル（ｆｌｅｘｉｂｌｅ）プラスチック、プラスチック、ゴム、木、ファブリック（ｆａｂｒｉｃ）、布、弾性重合体物質、又はこれらの組み合わせ構成されるグループから選択された物質を含むことができる。
バンド８１２は、また継続的な皮膚との同等の感じ及び快適さを提供するために皮膚移植、人工皮膚、又は他の同様なファブリックで製造することができる。
【００８４】
一部の実施形態において、バンド８１２は、通気性素材で製造され、大きい体積のプラスチック素材を避ける、織物ベースのウェアラブルフォームファクタ（例えば、手首及び手のひら）を使用することができる。
フレキシブルファブリックは、多様な位置に移動することができる。
このような移動は、いくつかの非通気性構成要素として、あまりにも長い期間皮膚の同一の領域を覆うことを避けることができる。
このように、ファブリックバンド８１２は、また追加された通気性を提供し、短期又は長期アプリケーションで持続的に（年中無休２４時間使用）着用するシステムで感染の危険を最小化することができる。
追加的に、バンド８１２は、滑りを最小限にする製織された内部表面を有する。
バンド８１２は、また同様な対称調整のために重ねるか、或いは互いに絡み合うストラップを含む。
【００８５】
図８に示した実施形態で、センサーモジュール８１６及び脱着可能な電源インターフェイス８２２（使用される仮定下で、図８には図示せず）の全ては身体部位（ここでは使用者の手首）の輪郭に沿って形成される。
システム８００が手首に着用される場合、センサーモジュール８１６は手首の皮膚に接触する。
一部の実施形態では、センサーモジュール８１６は、フレキシブルプレート（ｆｌｅｘｉｂｌｅ  ｐｌａｔｅ）である。
一部の実施形態では、センサーユニット８２８は、例えば、身体部位に接触するセンサーユニット８２８がバンドの調整無しで快適性及び／又は測定安定性及び正確度を向上させるように、スプリングロード（ｓｐｒｉｎｇ  ｌｏａｄｅｄ）又はフレキシブルゲル（ｆｌｅｘｉｂｌｅ  ｇｅｌ）に共成形（ｃｏ−ｍｏｌｄｅｄ）されて配置することができる。
追加的に、センサーモジュール８１６は、昼の間にはバンド８１２の１つのタイプに着用され、寝る間にはバンド８１２の他のタイプに挿入及び着用することができる。
【００８６】
図９のシステム９００は、ウェアラブルセンサープラットフォーム１０及び図８のシステム８００と類似である。
したがって、システム９００は、類似の図面符号を有する類似の構成要素を含む。
図９の、本実施形態でバンド９１２はバンド８１２と類似である。
バンド９１２は、バンド９１２に共成形（ｃｏ−ｍｏｌｄｅｄ）又は統合されたセンサーモジュール８１６（完全に図示されない）を使用する。
センサーモジュール８１６は、フレキシブルゲル（ｆｌｅｘｉｂｌｅ  ｇｅｌ）又は類似の流体に配置されたセンサーユニット８２８をさらに有する。
【００８７】
図１０のシステム１０００は、ウェアラブルセンサープラットフォーム１０、図８及び図９のシステム８００、９００と類似である。
したがって、システム１０００は類似の図面符号を有する類似の構成要素を含む。
図１０で、バンド１０１２は、バンド８１２、９１２と類似である。
バンド１０１２は、センサーモジュール１０１６に重なるために本実施形態でオーバーストラップ（ｏｖｅｒｓｔｒａｐ）配列に構成される。
他のストラップ付着配列も考慮することができる。
バンド１０１２は、センサーモジュール１０３０に解放可能（ｒｅｌｅａｓａｂｌｙ）に付着され、身体部位の他の大きさを収容して調整でき、一方でベースモジュール１０１８に対してセンサーモジュール１０１６の適切な位置を維持することができる。
センサーモジュール１０１６の調整機能は、多様な付着メカニズム（例えば、磁石（ｍａｇｎｅｔ）、ラチェッティング（ｒａｔｃｈｅｔｉｎｇ）、溝（ｇｒｏｏｖｅ）、スナップ（ｓｎａｐ）及び当業者において明白な位置にセンサーモジュール１０１６を固定する他の方式）を通じて達成することができる。
【００８８】
図１１のシステム１１００は、ウェアラブルセンサープラットフォーム１０、図８〜１０のシステム８００、９００、１０００と類似である。
したがって、システム１１００は類似の図面符号を有する類似の構成要素を含む。
図１１で、バンド１１１２は、本実施形態で分割又はモジュールリンク配置（ｓｅｇｍｅｎｔｅｄ  ｏｒ  ｍｏｄｕｌａｒ  ｌｉｎｋ  ａｒｒａｎｇｅｍｅｎｔ）に構成することができる。
バンド１１１２のリンクは、フレックス連結（ｆｌｅｘ  ｃｏｎｎｅｃｔｉｏｎ）１１９２によって連結される。
フレックス連結１１９２は多様な形態を有することができる。
１つの具現として、フレックス連結１１９２は、バンド１１１２のリンクに付着される別個の弾性ユニットである。
【００８９】
身体部位の大きさは、増加（又は減少）することによって、センサーモジュール１１１６が使用期間にわたって生理学的測定及び使用者の便宜に適切なその最適又は最適に近い位置を維持し、一方でディスプレイ１１２６は人体計測サイズの大きい範囲に掛けて身体部位に関するその位置を維持するように、このような弾性ユニット（フレックス連結１１９２）は、センサーモジュール１１１６がディスプレイ１１２６に対して位置が指定されるようにする。
【００９０】
一実施形態では、各フレキシブル連結１１９２は、バンド１１１２の各リンクの内及び外へ滑って入るか、或いは出てくる。
他の実施形態では、バンド１１１２のリンクが、結果的に、そのようなリンク（例えば、時計リンク）を連結する多様なメカニズムによって連結することができる場合、フレックス連結１１９２はバンド１１１２のリンクに統合することができる。
リンクを使用する実施形態で、例えば、身体部位に対するシステム１１００の大きさ調節は、使用者によるリンクの除去又は追加によってさらに改良することができる。
追加的に、センサーモジュール１１１６とベースモジュール１１１８との間の無線通信を含む実施形態で、モジュールの間に配線は必要としなく、又はセンサーモジュール１１１６とベースモジュール１１１８との間で電源専用配線が使用することができる。
他の実施形態で、電源及びデータ伝送のための配線配置は、センサーモジュール１１１６及びベースモジュール１１１８の間で使用することができる。
【００９１】
図１２のシステム１２００は、ウェアラブルセンサープラットフォーム１０、図８〜１１のシステム８００、９００、１０００、１１００と類似である。
したがって、システム１２００は類似の図面符号を有する類似の構成要素を含む。
図１２で、ベースモジュール１２１８及びセンサーモジュール１２１６は身体部位に自己接着（ｓｅｌｆ−ａｄｈｅｒｉｎｇ）する。
一部の実施形態で、図１２に示した部分的なバンド１２１２は、身体部位に向上された接着表面積をさらに増加させるためにベースモジュール１２１８又はセンサーモジュール１２１６に使用することができる。
他の実施形態で、バンド１２１２は使用されない。
【００９２】
ウェアラブルセンサープラットフォーム１０及びシステム８００〜１２００の一部の実施形態で、ディスプレイ１２２６はセンサーモジュール１２１６から使用者に向けて、又は、使用者から離れる方向に向けられることは理解されなければならない。
例えば、センサーモジュール１２１６は、使用者の額に適用することができ、例えば、眼鏡（図示せず）に対する眼鏡形状（ｇｌａｓｓｅｓ  ｆｏｒ  ｅｙｅｗｅａｒ）又はヘルメットフェイスシールド（ｈｅｌｍｅｔ  ｆａｃｅ  ｓｈｉｅｌｄ）（図示せず）で、ディスプレイは使用者の方向に向けることができる。
他の実施形態で、センサーモジュール１２１６は、額（又は他の身体部位）の皮膚にセンサーモジュール１２１６を接着する皮膚に似たタトゥで構成することができ、一方、ディスプレイ１２２６は、手首（又は他の身体部位）の皮膚に適用された薄い、フレキシブルスクリーンであり、センサーモジュール１２１６及びディスプレイ１２２６の全ての電源を含むことができる。
【００９３】
図１３及び図１４は、図１の実施に使用する実施形態を示し、図１３及び図１４の全ての類似の図面符号を有する類似の構成要素を含む。
図１３及び図１４の実施形態は、ウェアラブルセンサープラットフォーム１０の他の実施形態で使用することができる。
本実施形態は、ＥＣＧクラスプ１３３４を含んで、又は含まないで、使用することができる。
図１３で、センサーモジュール１３１６は微細調整可能に配置される。
本実施形態の微細調整可能なセンサーモジュール１３１６は、バンド１３１２でトラック（ｔｒａｃｋ）に配置される。
【００９４】
バンド１３１２は、センサーモジュールフレキシブルリード（ｓｅｎｓｏｒ  ｍｏｄｕｌｅ  ｆｌｅｘ  ｌｅａｄ）１３９４を通じてバンド１３１２のトラック（ｔｒａｃｋ）に沿って、手動又は自動で、調整可能である。
本実施形態で、センサーモジュールフレキシブルリード１３９４は、トラックに沿って調整できるアコーディオン状（ａｃｃｏｒｄｉｏｎ−ｌｉｋｅ）リードとして図に示す。
図１３は、第１位置でセンサーモジュール１３１６を示し、一方、図１４は図１３の第１位置に対して第２位置でセンサーモジュール１４１６を示す。
センサーモジュール１３１６の多様な他の位置は、特定の使用者に対するセンサーモジュールの位置設定を収容するトラック内で可能である。
【００９５】
追加的に、微細調整可能なセンサーモジュール１３１６の他の実施形態も考慮されることは理解されなければならない。
例えば、図１５及び図１６に示すように、図１３のフレキシブルリード１３９４を使用すること、又は微細調整可能なセンサーモジュール１３１６に対する他の構成の代わりに又は追加に、１つ以上のセンサーユニット１５２８が同一又は反対の回転方向に、手動又は自動で、回転可能することができる。
センサーユニット１５２８は、アプリケーションによって互いに同期又は非同期することができる。
センサーユニット１５２８の回転は、他のセンサーユニット１５２８と結合して個別的に生じるか、又は図１６に示すように、センサーモジュール１５１６がバンド１５１２のトラックに沿って移動し、センサーユニット１６２８が回転するように生じる。
このような回転は、身体部位にしたがって改善された快適さ又は改善された生理学的測定のためにセンサーユニット１６２８の精密な位置設定を容易にすることができる。
【００９６】
図１７及び図１８は図１の実施に使用する実施形態を示し、図１７及び図１８は全て類似の図面符号を有する類似の構成要素を含む。
図１７及び図１８の実施は、ウェアラブルセンサープラットフォーム１０の他の実施形態で使用することができる。
図１７で、微細調整可能なセンサーモジュール１７１６は、バンド１７１２のトラックに、又はトラックの上に、位置したセンサースライド（ｓｅｎｓｏｒ  ｓｌｉｄｅ）上に配置される。
センサーモジュール１６（図示せず）は、センサースライド１７９６を通じてバンド１７１２に、又はバンド１７１２の上に、調整可能に配置される。
本実施形態で、センサースライド１７９６は、センサーモジュール１６（図示せず）の位置を所望通りに修正するために、手動又は自動で調整される。
図１７は第１位置でのセンサースライド１７９６を示し、一方、図１８は図１７の第１位置に対して第２位置でのセンサースライド１７９６を示す。
センサースライド１７９６の多様な他の位置は、特定の使用者の必要に対するセンサーモジュールの位置設定を収容するトラック内で可能である。
【００９７】
追加的に、微細調整可能なセンサーモジュール１３１６の他の実施形態も考慮されることは理解されなければならない。
例えば、図１３のフレキシブルリード１３９４を使用することの代わりに、又は追加に、１つ以上のセンサーユニット１３２８を回転可能することができる。
センサーユニット１３２８の回転は、他のセンサーユニット１３２８と結合して個別的に生じるか、又はセンサーモジュールが図１３のバンド１３１２のトラックをしたがって移動するように生じさせることができる。
このような回転は、身体部位にしたがって改善された快適さ又は改善された生理学的測定のためにセンサーユニット１３２８の精密な位置設定を容易にすることができる。
明確に、微細調整可能なセンサーモジュール１６に対する多様な実施形態は使用者及びアプリケーションによって単独又は一緒に使用することができる。
【００９８】
図に示した実施形態によって本発明が説明され、実施形態は変形することができ、いずれの変形も本発明の思想及び範囲に含まれる。
例えば、例示的な実施形態は、ハードウェア、ソフトウェア、プログラム指示を含むコンピュータ読出し可能媒体、又はそれらの組み合わせを使用して具現することができる。
本発明にしたがって書込みされたソフトウェアは、メモリ、ハードディスク、又はＣＤ／ＤＶＤ−ＲＯＭのようなコンピュータで読出し可能である媒体の形態に格納されることができ、プロセッサによって実行されることができる。
【００９９】
本発明を特定な実施形態を参照して説明したが、技術分野で通常の知識を有する者であれば、本発明の範囲を逸脱しなく、多様な変形及び均等な他の実施形態が可能である点を理解されるべきである。
また、本発明の範囲を逸脱しなく、特定の状況又は材料を本発明の教示に適合するようにする多くの変形が行うことができる。
したがって、本発明は開示した特定の実施形態によって限定されなく、本発明は添付された特許請求の範囲内のすべての実施形態を含む。
その上に、図面に示した論理の流れは、所望する結果を達成するために示した特定の順序、又は順次的な順序を要求しない。
その上に、他の段階を提供するか、又は開示した流れから段階を除去することができ、そして他の構成要素が開示したシステムに追加するか、又は開示したシステムで除去することができる。
したがって、他の実施形態は本発明の請求項の範囲内にある。
【符号の説明】
【０１００】
１０    （モジュール型）ウェアラブルセンサー（モジュール）（プラットフォーム）
１２    バンド
１４    手首
１６    センサーモジュール
１８    ベースモジュール
２０    ベースコンピューティングユニット
２２    電源（バッテリー）
２６    ディスプレイ（／ＧＵＩ）
２８    センサーユニット
３０    センサープレート
３２    センサーコンピューティングユニット
３４    クラスプ
３６    プロセッサ
３８    メモリ
４０    Ｉ／Ｏ
４２    通信インターフェイス
４４    センサー
４６    加速度計（／ジャイロスコープ）
４８    温度計
５４    光センサーアレイ
５５    個別光センサー
５６    ガルバニック皮膚反応センサー（ＧＳＲ）アレイ
５８    生体抵抗センサーアレイ
６０    心電図センサー（ＥＣＧ）
６２    光検出器
６４    （マッチング）光源
８８    電源管理ユニット
９０    オペレーティングシステム（ＯＳ）
【図１】
0006513708.tif 000002
【図２】
0006513708.tif 000003
【図３】
0006513708.tif 000004
【図４】
0006513708.tif 000005
【図５】
0006513708.tif 000006
【図６】
0006513708.tif 000007
【図７】
0006513708.tif 000008
【図８】
0006513708.tif 000009
【図９】
0006513708.tif 000010
【図１０】
0006513708.tif 000011
【図１１】
0006513708.tif 000012
【図１２】
0006513708.tif 000013
【図１３】
0006513708.tif 000014
【図１４】
0006513708.tif 000015
【図１５】
0006513708.tif 000016
【図１６】
0006513708.tif 000017
【図１７】
0006513708.tif 000018
【図１８】
0006513708.tif 000019